(57)【要約】【課題】本考案は、タブレット型コンピューター、スマートフォン、携帯電話、ノート型パソコン等の薄型化製品に適用することができ、且つ、製造と組立が簡単で、音声出力効果が優れた超薄型スピーカー構造を提供する。【解決手段】低音膜部材と、中音膜部材と、発声部材とからなる。その内、前記低音膜部材は、辺縁に近い位置に、囲まれて突起した懸辺部が設けられ、中央には、階段部からなる之ストッパー部が設けられる。前記中音膜部材は、低音膜部材ストッパー部内縁の面積にほぼ等しく、その中央には、階段部からなる凹溝が設けられ、前記発声部材は、複数層のセラミック材料を重ねてなる。前記発声部材置を中音膜部材の凹溝に配置し、さらに、中音膜部材を低音膜部材のストッパー部内縁に嵌合させると、薄型スピーカーを形成させることができる。【選択図】図２
0003183830.tif 000002
【実用新案登録請求の範囲】
【請求項１】
低音膜部材と、中音膜部材と、発声部材と、によってなる超薄型スピーカー構造であって、
低音膜部材の辺縁に近い位置には、囲まれて半円状に突起してなる懸辺部が設けられるとともに、低音膜部材の中央に、四角形の開孔が設けられ、開孔の縁には、階段部からなるストッパー部が設けられ、
中音膜部材は、低音膜部材のストッパー部の内縁に嵌合され、中音膜部材の中央には、階段部からなる凹溝が設けられ、
発声部材は、複数層のセラミック材料を重ねてなるとともに、中音膜部材の凹溝に配置され、発声部材が音声周波数信号を受信すると、中音膜部材及び低音膜部材によって音声が発せられ、
タブレット型コンピューター、或いは、スマートフォン、或いは、携帯電話、或いは、ノート型パソコン等の薄型化製品に適用されることを特徴とする、超薄型スピーカー構造。
【請求項２】
中音膜部材は、低音膜部材ストッパー部内縁の面積にほぼ等しく、それにより、中音膜部材は、前記ストッパー部の内縁に嵌合されることを特徴とする、請求項１に記載の超薄型スピーカー構造。
【請求項３】
低音膜部材は、ポリエチレン（ＰＥ）或いはポリカーボネイト（ＰＣ）の材質であることを特徴とする、請求項１に記載の超薄型スピーカー構造。
【請求項４】
中音膜部材は、絹布或いは紙材からなることを特徴とする、請求項１に記載の超薄型スピーカー構造。
【請求項５】
中音膜部材は、木片或いは発泡材からなることを特徴とする、請求項１に記載の超薄型スピーカー構造。
【請求項６】
低音膜部材と、発声部材とからなる超薄型スピーカー構造であって、
低音膜部材は、フレーム体に固定されるとともに、低音膜部材の辺縁に近い位置には、長棒状且つ半円状に突起してなる懸辺部が設けられ、低音膜部材の中央には、階段部からなる凹溝が設けられ、
発声部材は、複数層のセラミック材料を重ねてなるとともに、低音膜部材の凹溝に配置され、発声部材が音声周波数信号を受信することにより、低音膜部材によって音声が発せられ、
タブレット型コンピューター、或いは、スマートフォン、或いは、携帯電話、或いは、ノート型パソコン等の薄型化製品に適用されることを特徴とする、超薄型スピーカー構造。
【請求項７】
低音膜部材は、ポリエチレン（ＰＥ）或いはポリカーボネイト（ＰＣ）の材質からなることを特徴とする、請求項６に記載の超薄型スピーカー構造。
【考案の詳細な説明】
【技術分野】
【０００１】
本考案は超薄型スピーカー構造に関し、特に発声部材が音声周波数信号を受信することで、中、低音膜部材によって音声を発することができるとともに、タブレット型コンピューター、スマートフォン、携帯電話、ノート型パソコン等の薄型化製品に適用することができ、また、製造と組立を行いやすい超薄型スピーカー構造に関する。
【背景技術】
【０００２】
科学技術のめざましい進歩により、一般的なタブレット型コンピューター、スマートフォン、携帯電話、タブレットＰＣ等の３Ｃ製品は、日々、薄く軽く短く小さくするという目標に向かって研究開発が行われており、それに伴い、これらの製品で使用される部品も薄型化する必要が生じている。その内、音声を発するスピーカーについて言うと、現段階のスピーカーは、小型化は達成しているものの、軽く薄くすることはできず、体積を製品の要求に合わせることができない。また、小型化されたスピーカーは、高、中、低音声周波数についても考慮しなければならず、もし、薄型化により音声周波数が損失した場合は、メーカーや消費者に受け入れてもらえないことがある。現段階で存在する薄型スピーカーには、前述の欠点を改善しているものもあるが、その製造工程は、発声部材をスチール片に固定するため、加工が複雑である。本考案者は、以上のことを鑑み、長年にわたるこの分野での経験をいかし、絶え間ない研究と実験を繰り返すことにより、遂に、製造と組立が簡単で、音声出力効果が優れた薄型スピーカーの改良に成功した。
【考案の概要】
【考案が解決しようとする課題】
【０００３】
本考案は、発声部材が音声周波数信号を受信することで、中、低音膜部材によって音声を発することができるとともに、タブレット型コンピューター、スマートフォン、携帯電話、ノート型パソコン等の薄型化製品に適用することができ、且つ、製造と組立が簡単で、音声出力効果が優れた超薄型スピーカー構造を提供することを目的とする。
【課題を解決するための手段】
【０００４】
超薄型スピーカー構造は、低音膜部材と、中音膜部材と、発声部材とからなる。その内、前記低音膜部材は、辺縁に近い位置に、囲まれて突起した懸辺部が設けられ、中央には、階段部からなる之ストッパー部が設けられる。前記中音膜部材は、低音膜部材ストッパー部内縁の面積にほぼ等しく、その中央には、階段部からなる凹溝が設けられ、前記発声部材は、複数層のセラミック材料を重ねてなる。前記発声部材置を中音膜部材の凹溝に配置し、さらに、中音膜部材を低音膜部材のストッパー部内縁に嵌合させると、薄型スピーカーを形成させることができる。発声部材が音声周波数信号を受信すると、低音膜部材及び中音膜部材を通して音声が発せられる。なお、本考案は、タブレット型コンピューター、スマートフォン、或いは、携帯電話、或いは、ノート型パソコン等の薄型化製品に適用される。
【０００５】
前記超薄型スピーカー構造における前記低音膜部材は、ポリエチレン（ＰＥ）、ポリカーボネイト（ＰＣ）等の材質からなる。
【０００６】
前記超薄型スピーカー構造における前記中音膜部材は、絹布、或いは、紙材、或いは、木片、或いは、発泡材等の材料からなる。
【図面の簡単な説明】
【０００７】
【図１】本考案の実施例１の斜視図である。
【図１Ａ】本考案の実施例１のもう一つの斜視図である。
【図２】本考案の実施例１の分解斜視図である。
【図３】本考案の実施例１の断面図である。
【図４】本考案の実施例２の分解斜視図である。
【図５】本考案の実施例２の斜視図である。
【図６】本考案の実施例２の断面図である。
【考案を実施するための形態】
【０００８】
（実施例１）
図１と図１Ａと図２を同時に参照する。図１と図１Ａと図２は、本考案の斜視図と、分解斜視図である。図に示すように、本考案は、主に、低音膜部材１と、中音膜部材２と、発声部材３と、からなる。その内、本実施例においては、低音膜部材１は、円形を呈すとともに、ポリエチレン（ＰＥ）、ポリカーボネイト（ＰＣ）等材質からなり、低音膜部材１の辺縁に近い位置には、囲まれて半円状に突起してなる懸辺部１１が設けられ、中央には、四角形の開孔１２が設けられ、開孔１２の縁には、階段部によって構成されるストッパー部１３が設けられる。
【０００９】
中音膜部材２は、絹布、紙材、木片、或いは、発泡材等の材料からなるとともに、低音膜部材１ストッパー部１３内縁の面積にほぼ等しい。その中央には、階段部によって構成される凹溝２１が設けられ、発声部材３は、複数層のセラミック材料を重ねてなる。
【００１０】
前述の構造部材を組み合わせる手順は、まず、発声部材３を中音膜部材２の凹溝２１に配置し、次に、中音膜部材２を低音膜部材１のストッパー部１３内縁に嵌合し、最後に、発声部材３に導線を溶接して、薄型スピーカーＡを形成させる。以上の組み合わせにより、発声部材３が音声周波数信号を受信すると、中音膜部材２及び低音膜部材１を通して、音声が発せられる。なお、本考案は、タブレット型コンピューター、スマートフォン、或いは、携帯電話、ノート型パソコン等薄型化製品に適用することができる。図１Ａに示すように、本考案の発声部材３は、前述した実施例のように中音膜部材２の中央に配置する以外に、中央以外の外側の任意の位置に配置することもできる。その場合でも同様に、音声周波数信号を受信すると、中音膜部材２及び低音膜部材１を通して音声が発せられる目的を達成することができる。
【００１１】
図３を参照する。図３は、本考案の断面図である。図に示すように、本考案を組み立てる時は、その内の発声部材３を中音膜部材２の凹溝２１に配置し、次に、中音膜部材２を低音膜部材１のストッパー部１３内縁に嵌合させる。なお、凹溝２１及びストッパー部１３の位置決め機能により、簡単に組立を行うことができる。中音膜部材２に設けられた発声部材３が音声周波数信号を受信すると、音声周波数を損失せずに、中音膜部材２及び低音膜部材１を通して音声を発することができる。その内、低音膜部材１辺縁に近い位置には、囲まれて半円状に突起してなる懸辺部１１が設けられ、一般スピーカーのダンパ作用を形成することができるため、高調波の損失を減らすことができ、さらには、薄型スピーカーＡにより優れた音質を提供させることができる。
【００１２】
（実施例２）
図４と図５を同時に参照する。図４と図５は、本考案の実施例２の分解斜視図と斜視図である。図に示すように、本考案は、前述した円形の構成以外に、実施例２のような形態にすることもできる。実施例２は、低音膜部材１と、発声部材３と、フレーム体４とからなる。その内、低音膜部材１は長方形を呈し、低音膜部材１はフレーム体４に固定され、低音膜部材１の横向き辺縁に近い位置には、長棒状且つ半円状に突起してなる懸辺部１４が設けられ、中央には、階段部によって構成される凹溝１５が設けられる。
【００１３】
発声部材３は、複数層のセラミック材料を重ねてなる。
【００１４】
前述の構造部材を組み合わせる手順は、まず、発声部材３を低音膜部材１の凹溝１５１に配置し、次に、発声部材３に導線を溶接する。それにより、薄型スピーカーＡを形成させることができる。以上の組み合わせにより、発声部材３が音声周波数信号を受信すると、低音膜部材１により、音声が発せられる。本考案は、タブレット型コンピューター、スマートフォン、或いは、携帯電話、或いは、ノート型パソコン等の薄型化製品に適用される。
【００１５】
図６を参照する。図６は、本考案の実施例２の断面図である。図に示すように、本考案の実施例２の組み立てにおいて、発声部材３を低音膜部材１の凹溝１５に配置する際、凹溝１５の位置決め機能により、簡単に組立を行うことができる。そして、発声部材３が音声周波数信号を受信すると、音声周波数が損失することなく、低音膜部材１によって音声が発せられる。その内、低音膜部材１辺縁に近い位置には、長棒状で半円状の突起した懸辺部１４が設けられ、それにより、一般的なスピーカーのダンパ作用を形成することができるため、高調波の損失を減らすことができ、さらには、薄型スピーカーＡにより優れた音質を提供させることができる。
【００１６】
本考案は、従来の薄型スピーカーと比べて、少なくとも以下の利点を備えている。
１、更に薄型化されているため、応用の範囲がさらに幅広くなる。
２、発声部材３を中音膜部材２及び低音膜部材１に配置することで音声が発せられるため、中、高周波数が失われることなく、原音の再現効果に優れている。
３、中音膜部材２は、低音膜部材１の音の損失を補うことができるため、音声出力全体の効果を安定させることができ、また、低音膜部材１の低音出力の効果も優れており、３００Ｈｚに達するため、低音が失われない。
４、低音膜部材１の辺縁近くの位置に設けた懸辺部１４により、一般的なスピーカーのダンパ作用を形成することができるため、高調波の損失を減らすことができ、さらには、薄型スピーカーにより優れた音質を提供させることができる。
【符号の説明】
【００１７】
１      低音膜部材            
１１    懸辺部
１２    開孔                
１３    ストッパー部
１４    懸辺部                
１５    凹溝
２      中音膜部材            
２１    凹溝
３      発声部材                
４      フレーム体
Ａ      薄型スピーカー
【図１】
0003183830.tif 000003
【図１Ａ】
0003183830.tif 000004
【図２】
0003183830.tif 000005
【図３】
0003183830.tif 000006
【図４】
0003183830.tif 000007
【図５】
0003183830.tif 000008
【図６】
0003183830.tif 000009